(57)【特許請求の範囲】
【請求項１】
ディジタル放送波に含まれる番組情報を取り出す手段と、実際に視聴した番組の視聴履歴を記憶する手段と、前記番組情報及び前記視聴履歴に基づき、番組ガイド表に表示する各番組欄のうち実際に視聴した番組の番組欄を視聴履歴のない番組の表示欄と区別される形式で画面に表示する視聴履歴反映の番組ガイド表を出力する履歴反映番組ガイド出力手段と、を備えており、前記履歴反映番組ガイド出力手段は、所定ボタンが操作されたことを検出すると、視聴履歴を一つ遡る処理を実行し、一つ遡った視聴履歴による実際に視聴した番組の番組欄を視聴履歴のない番組の表示欄と区別される形式で画面に表示することを特徴とするディジタル放送受信装置。
【請求項２】
請求項１に記載のディジタル放送受信装置において、番組欄が選択されている状態で決定操作を行うことにより、選択した番組欄の番組を受信するための処理を実行するように構成されたことを特徴とするディジタル放送受信装置。
【請求項３】
請求項１又は請求項２に記載のディジタル放送受信装置において、番組受信中にユーザによって番組ガイド表を出力する指示がなされると当該受信番組の番組欄を含む通常の番組ガイド表を表示し、この番組ガイド表の表示状態で所定の操作がなされたときに、前記視聴履歴を反映させた番組ガイド表を表示するようにしたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時刻、番組継続時間、番組内容情報、番組ジャンル情報などの各種情報を含んでおり、受信装置側ではＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）表示機能によって多チャンネル放送のなかからユーザが望む番組を選択することができる。
【０００４】
図４はＥＰＧ画面を例示している。このＥＰＧ画面は、縦軸を時間軸とし、横軸にはチャンネル番号を表している。図示しないリモコン送信機に設けた上下左右の方向キーを操作することにより、番組表を上下左右にスクロールさせることができる。そして、所望の番組欄にカーソルをおき（色変わりさせ）、決定キーを押すことにより、当該番組の予約処理が実行される。
【０００５】
【発明が解決しようとする課題】
ところで、データ放送番組などではユーザの要求に対応するために順次選択を求めてくることがあり、ユーザがこの選択に従っていくと、ユーザが知らない間にチャンネルが何度か変更され、最初のチャンネルに戻ることが困難となる場合がある。また、チャンネルリターン機能を備えるディジタル放送受信装置が知られているが、このチャンネルリターン機能は１つ前のチャンネルに戻る機能であり、チャンネルが何度も変更されている場合にはやはり最初のチャンネルに戻ることができない。また、ディジタル放送では、多くのチャンネルが提供されているため、好みのチャンネルを探し出すのに時間を要することが多い。。
【０００６】
この発明は、上記の事情に鑑み、チャンネルが何度か変更されても元の所望のチャンネルの番組受信に簡単に戻ることができ、また、例えば１週間前に見た或る番組の続きを見ようと思うときにも簡単に当該番組のチャンネルを選択することができるディジタル放送受信装置を提供することを特徴とする。
【０００７】
【課題を解決するための手段】
この発明のディジタル放送受信装置は、上記の課題を解決するために、ディジタル放送波に含まれる番組情報を取り出す手段と、番組の視聴履歴を記憶する手段と、前記番組情報及び前記履歴情報に基づき、番組ガイド表に表示する各番組欄のうち視聴履歴がある番組の番組欄が他の番組の表示欄と区別される形式で表示させた視聴履歴反映の番組ガイド表を出力する手段と、を備えたことを特徴とする。
【０００８】
上記の構成であれば、チャンネルが何度か変更された後、元の所望のチャンネルの番組受信に戻りたいと思うときには、前記視聴履歴を反映させた番組ガイド表を表示させればよい。この番組ガイド表では、視聴履歴がある番組の番組欄は他の番組の表示欄と区別されて表示されるため、ユーザは変更前の所望のチャンネルを簡単に見つけ出すことができる。
【０００９】
番組欄が選択されている状態で決定操作を行うことにより、選択した番組欄の番組を受信するための処理を実行するように構成されているのがよい。また、番組受信中にユーザによって番組ガイド表を出力する指示がなされると当該受信番組の番組欄を含む通常の番組ガイド表を表示し、この番組ガイド表の表示状態で所定の操作がなされたときに、前記視聴履歴を反映させた番組ガイド表を表示するのがよい。
【００１０】
また、この発明のディジタル放送受信装置は、ディジタル放送波に含まれる番組情報を取り出す手段と、番組の視聴履歴を記憶する手段と、前記番組情報及び前記履歴情報に基づき、放送予定番組のガイド表と共に当該ガイド表の表示日より所定日前における視聴履歴を表示する手段と、を備えたことを特徴とする。
【００１１】
上記の構成であれば、例えば１週間前においてどの番組（チャンネル）を見ていたかを番組ガイド表示との対比で知ることができ、例えば１週間前に見た或る番組（番組名やチャンネルを覚えていない番組）の続きを見ようと思うときに簡単に当該番組を探し出すことができる。
【００１２】
視聴履歴の番組表示箇所の選択に対応して当該番組の番組欄を含むように番組ガイド表の表示を制御し、所定の操作が行われたときに前記選択した視聴履歴の番組に対応する番組の予約処理又は受信処理を実行するのがよい。
【００１３】
【発明の実施の形態】
以下、この発明の実施形態を図１乃至図３に基づいて説明するが、ここではユーザがＢＳ（Ｂｒｏａｄｃａｓｔｉｎｇ  Ｓａｔｅｌｌｉｔｅ）ディジタル放送を視聴する場合を例示している。図１はこの実施形態のディジタル放送受信装置３０を示したブロック図であり、図２及び図３は視聴履歴を反映させたＥＰＧ画面（番組ガイド表）の説明図である。
【００１４】
アンテナ１は、屋外において所定の方向に向けて配置されており、ＢＳから送られてくるディジタル放送信号を受信する。このアンテナ１は一般に周波数変換器を備え、受信／周波数変換した信号をチューナ２に与える。
【００１５】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１６】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオストリームとオーディオストリームをＡＶデコーダ４に供給し、ＰＳＩ／ＳＩをＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。更に、ＳＩ（サービス情報）には、番組情報（番組名、番組開始時刻、番組継続時間、番組内容情報、番組ジャンル情報等）が含まれている。
【００１７】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１８】
映像処理回路５は、ＡＶデコーダ４から映像データをうけとってＤ／Ａ変換を行い、例えばコンポジット映像信号に変換する。音声処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００１９】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２０】
ＯＳＤ回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、ＣＰＵ１３が受け取った前述の番組情報に基づくＥＰＧ（Ｅｌｅｃｔｒｏｎｉｃ  Ｐｒｏｇｒａｍ  Ｇｕｉｄｅ）表示などが行えることになる。
【００２１】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。また、ユーザはこのリモコン送信機１０に設けられた「履歴」ボタンや「上下左右」の方向キー及び「決定」キーなどを用いてＥＰＧ画面（番組ガイド表）上で視聴履歴を確認できるようになっている。
【００２２】
不揮発性メモリ（例えばＥＥＰＲＯＭ等）１４には、ＥＰＧ画面を表示するためのデータ（番組情報）の他、視聴履歴情報（視聴チャンネル情報や視聴日／時刻情報等）などが格納される。
【００２３】
ＣＰＵ１３は、このディジタル放送受信装置３０における全体制御を行うものであるが、特にこの発明にかかる制御として、視聴履歴を反映させたＥＰＧ画面の生成制御を実行するようになっている。以下、かかる制御について説明していく。
【００２４】
▲１▼視聴履歴情報取得処理
ＣＰＵ１３は、選局処理のたびに、視聴履歴情報（視聴日、チャンネル番号、視聴開始時刻、視聴終了時刻）を不揮発性メモリ１４に格納する。ただし、メモリ格納情報量の増大を避けるため、この実施形態では、数秒乃至数分しか視聴していない場合には、その視聴履歴は格納しないこととする。なお、番組全体時間に対する視聴割合を算出し（１時間番組で３０分視聴の場合は５０％）、例えば、５０％以上を視聴していた場合のみ視聴履歴を格納するようにしてもよい。上記番組全体時間は、ディジタル放送波から得られた番組情報（番組開始時刻、番組継続時間）によって判断できる。また、このような形で上記番組情報を視聴履歴に利用する他、視聴履歴表示上で番組名やジャンルを表示すること等において、前記番組情報を利用することができる。
【００２５】
▲２▼ＥＰＧ表示処理
図２（ａ）は、通常のＥＰＧ画面の説明図であり、同図（ｂ）は視聴履歴を反映させたＥＰＧ画面の説明図である。ここでは、同図（ｂ）に示すように、ユーザが１０４チャンネルの野球放送を１時過ぎまで見ていて、そのＣＭ中にデータ放送のショッピング番組を見ようとして、いつのまにか何度もチャンネル変更が行われ、例えば、１０３チャンネルのショッピング番組に至り、この番組を十数分程度視聴し、その後に、野球放送に戻ろうとしてチャンネル操作を行ったが戻れずに、現時点において１０１チャンネルの開花情報番組に至っている場合を想定する。上記戻ろうとするためのチャンネル操作時の番組視聴時間は数秒であり、視聴履歴としては残されない。従って、視聴履歴上の最新番組は１０３チャンネルのショッピング番組であり、その前の番組は１０４チャンネルの野球放送となる。
【００２６】
ユーザが上記１０１チャンネルの開花情報番組の視聴状態でＥＰＧ表示指令をディジタル放送受信装置３０に与えると、当該装置３０は通常のＥＰＧ画面の生成処理を実行し、図２（ａ）のごとくＥＰＧ画面表示を行う。このＥＰＧ画面においては、現在視聴していた前記１０１チャンネルの開花情報番組の表示欄が画面略中央に配されるように、画面構成が施される。そして、このＥＰＧ画面の下辺部には、「移動」「予約」「翌日」「前日」「履歴」といったリモコン送信機１０のキー説明用文字／絵文字が表記されており、上記「履歴」に対応するリモコン送信機１０のキーを操作すると、図２（ｂ）のごとく、視聴履歴を反映したＥＰＧ画面が表示される。
【００２７】
この視聴履歴を反映したＥＰＧ画面においては、視聴履歴上の最新番組が１０３チャンネルのショッピング番組であるため、１０３チャンネルのショッピング番組の表示欄が画面略中央に配されるように画面構成が施され、１０３チャンネル欄の左欄は１０２チャンネル欄となり、右欄は１０４チャンネル欄となる。そして、１０３チャンネルのショッピング番組の表示欄上では、当該番組の視聴開始時刻及び視聴終了時刻に基づき、番組表の時間軸に対応させて所定幅の透明色帯状領域が表示される。ここで、当該ショッピング番組の前に視聴していた野球放送が１０４チャンネルであったことから、この番組表上でも当該野球放送の視聴開始時刻及び視聴終了時刻に基づき、番組表の時間軸に対応させて所定幅の透明色帯状領域が表示され、この表示によってユーザは前記野球放送のチャンネルを知り、この番組欄にカーソルを載せ（色変わりさせ）、リモコン送信機１０の決定キーを操作することで番組受信を行わせることができる。
【００２８】
ここで、野球放送が例えば１０５チャンネルであったときには、上記番組表には当該野球番組欄は表示されないが、リモコン送信機１０の上方向キーを操作することにより、履歴を遡る処理が実行され、図示はしないが、１０５チャンネルの野球番組欄が画面略中央に配されるとともに前述と同様の処理にて透明色帯状領域が表示され、この番組表上でユーザは前記野球放送のチャンネルを知り、この番組欄にカーソルを載せ（色変わりさせ）、リモコン送信機１０の決定キーを操作することで野球番組の受信を行わせることができる。
【００２９】
なお、野球番組欄が画面略中央に配されて透明色帯状領域が表示されている状態を、当該野球番組が選択されている状態として扱い、この状態で単に決定キーを操作するのみで当該野球番組の受信を行うといった処理も可能である。勿論、図２（ｂ）の表示状態において、履歴を一つ遡る処理を実行し、１０４チャンネルの野球番組欄を画面略中央に配置させ、この状態で単に決定キーを操作するのみで当該野球番組の受信を行うといった処理を行ってもよい。
【００３０】
このように、チャンネルが何度か変更され、変更前の所望のチャンネルの番組受信に戻りたいと思うときには、前記視聴履歴を反映させたＥＰＧ画面（番組ガイド表）を表示させればよい。このＥＰＧ画面においては、視聴履歴がある番組の番組欄は他の番組の表示欄と区別されて表示されるため、ユーザは変更前の所望のチャンネルを簡単に見つけ出すことができることになる。
【００３１】
なお、視聴したい番組がなかった場合など、視聴履歴表示を解除して図２（ａ）の通常のＥＰＧ画面に戻すには、図２（ｂ）に示す「通常」に対応させてあるリモコン送信機１０のボタンを押下すればよい。また、視聴履歴のある番組の番組欄については、その視聴開始時刻及び視聴終了時刻に基づき、番組表の時間軸に対応させて所定幅の透明色帯状領域を表示することとしたが、視聴時間を参照せずにその番組欄の背景色を単に替えたり、或いは単に視聴履歴を示す絵文字を付記する等の簡単な処理を行うこととしてもよい。
【００３２】
図３は視聴履歴反映ＥＰＧ画面の他の例を示している。このＥＰＧ画面を構成するために、前記不揮発性メモリ１４には１週間分の視聴履歴情報を記録しておくこととする。図３のＥＰＧ画面では、放送予定番組のＥＰＧ画面とその一週間前の同じ曜日の視聴履歴欄とを対応させて表示している。例えば、今日が１１月１４日であり、その翌日の１１月１５日の放送予定番組のＥＰＧ画面を表示させているときには、その一週間前である１１月８日の視聴履歴が視聴履歴欄において表示される。この視聴履歴表示では、縦方向時間軸上に過去視聴番組の視聴時間帯を領域分けして各領域内に視聴チャンネル番号等が表示されるようにしている。画面の「翌日」に対応したキー操作を行えば、１１月１６日の放送予定番組のＥＰＧ画面が表示され、その一週間前である１１月９日の視聴履歴が表示されることになる。ユーザは、例えば上下方向キーを操作することにより、視聴履歴欄上の番組（時間帯）を選択する（色変わりさせる）ことができる。図３において、視聴履歴におけるチャンネル１０１の映画（Ｘシリーズ第３話）の時間帯部分を選択し、決定キーを押すと、この過去視聴番組と同チャンネルで同時間帯の放送予定番組欄が含まれるようにＥＰＧ画面領域の表示が制御される。図３に示した例では、当該処理によってＥＰＧ画面領域にチャンネル１０１欄が表示され、ＰＭ１時から映画（Ｘシリーズ第４話）が放送されることをユーザが知るところとなる。ユーザは、映画（Ｘシリーズ第４話）の表示箇所にカーソルを移動させ（色変わりさせ）、決定キーを押すことで、この映画（Ｘシリーズ第４話）の予約を行うことができる。
【００３３】
このように、或る日時（今日又は将来の或る日時）に対してその一週間前にどのような番組を見ていたのかを視聴履歴によって知ることができ、そのなかで今週も見たいと思う番組があればその表示箇所を指定することで、同チャンネルで同時間帯の実際の放送予定の番組を知ることができ、見たいと思っていたとおりの番組であれば、その番組の予約を行って視聴できることになる。すなわち、一週間前にどのような番組を見ていたのかを思い出せない場合でも、過去に視聴していた番組を参考に、見逃せない番組を容易に探し出せることになる。
【００３４】
なお、上記の例では、一週間前の視聴履歴を表示させることとしたが、一週間に限るものではなく、例えば１日前の視聴履歴を表示させることとしてもよい。また、どのくらい前の視聴履歴を表示させるかをユーザの操作で選択できるようにしてもよい。
【００３５】
【発明の効果】
以上説明したように、この発明であれば、チャンネルが何度か変更され、元の所望のチャンネルの番組受信に戻りたいと思うときには、視聴履歴を反映させた番組ガイド表を表示させることで、ユーザは元の所望のチャンネルを簡単に見つけ出して当該番組の視聴に戻ることができる。また、例えば一週間前にどのような番組を見ていたのかを思い出せない場合でも、過去に視聴していた番組を参考に、見逃せない番組を容易に探し出せるという効果を奏する。
【図面の簡単な説明】
【図１】この発明の実施形態のディジタル放送受信装置を示したブロック図である。
【図２】同図（ａ）は、通常のＥＰＧ画面の説明図であり、同図（ｂ）は視聴履歴を反映させたＥＰＧ画面の説明図である。
【図３】視聴履歴情報を反映させた他のＥＰＧ画面の説明図である。
【図４】従来のＥＰＧ画面の説明図である。
【符号の説明】
１    アンテナ
２    ＢＳディジタルチューナ
３    デマルチプレクサ（ＤＥＭＵＸ）
４    ＡＶデコーダ
１２  ＯＳＤ回路
１３  ＣＰＵ
１４  不揮発性メモリ
【図１】
0003759581.tif 000002
【図２】
0003759581.tif 000003
【図３】
0003759581.tif 000004
【図４】
0003759581.tif 000005